(57)【要約】【課題】１又は複数のエリアのそれぞれに配置される１又は複数の設備を制御する際に、制御すべき設備を直感的に且つ具体的に特定すること。【解決手段】設備制御装置は、１又は複数のエリアのそれぞれに配置される１又は複数の設備を制御する設備制御装置であって、エリア識別情報ＥＩと、設備識別情報ＦＩと、設備の配置位置を示す配置位置情報ＡＩと、設備の種類を示す種類情報ＴＩと、を関連づけて記録する記録部１５と、取得したユーザ位置情報と、エリア識別情報とに基づいて、ユーザが滞在するエリアを特定するエリア特定部１１５と、特定されたエリアにおける特定の位置にそれぞれ配置される１又は複数の設備の種類を特定可能なように、且つ、ユーザが制御対象として当該設備を選択可能に、画面に表示するための画像情報を生成する画像情報生成部１１７と、ユーザにより選択された１又は複数の設備を制御する設備制御部と、を備える。【選択図】図３
2020086968.tif 000002
【特許請求の範囲】
【請求項１】
１又は複数のエリアのそれぞれに配置される１又は複数の設備を制御する設備制御装置であって、
前記１又は複数のエリアのエリア識別情報と、前記１又は複数の設備の設備識別情報と、前記１又は複数のエリアのそれぞれにおける前記１又は複数の設備の配置位置を示す配置位置情報と、前記１又は複数の設備の種類を示す種類情報と、を関連づけて記録する記録部と、
ユーザの位置を示すユーザ位置情報を取得する情報取得部と、
取得した前記ユーザ位置情報と、前記エリア識別情報とに基づいて、前記ユーザが滞在するエリアを特定するエリア特定部と、
前記設備識別情報と前記配置位置情報と前記種類情報とに基づいて、特定された前記エリアにおける特定の位置にそれぞれ配置される前記１又は複数の設備の種類を特定可能なように、且つ、前記ユーザが制御対象として当該設備を選択可能に、画面に表示するための画像情報を生成する画像情報生成部と、
前記ユーザにより選択された１又は複数の設備を制御する設備制御部と、を備える、
設備制御装置。
【請求項２】
前記画像情報生成部は、前記エリア識別情報と前記配置位置情報と前記種類情報とに基づいて、特定された前記エリアにおける特定の位置にそれぞれ配置される前記１又は複数の設備の配置状況を示すための画像情報であって、当該１又は複数の設備のうち制御可能な設備の表示形態を他の設備の表示形態とは異なるように表示するための画像情報を生成する、
請求項１に記載の設備制御装置。
【請求項３】
特定された前記エリアにおける特定の位置にそれぞれ配置される前記１又は複数の設備は、前記種類を特定可能な画像で表示され、
前記画像情報生成部は、当該１又は複数の設備のうち、前記ユーザにより選択された１又は複数の設備の制御画面を表示するための画像情報を生成する、
請求項１又は２に記載の設備制御装置。
【請求項４】
前記ユーザ位置情報を取得するための１又は複数の異なる取得手法を選択可能に画面に表示するための画像情報が生成され、
前記情報取得部は、前記ユーザにより選択された一の取得手法を用いて前記ユーザ位置情報を取得する、
請求項１から請求項３のいずれか一項に記載の設備制御装置。
【請求項５】
前記記録部は、前記ユーザが１又は複数の時間帯のそれぞれにおいてどのエリアに滞在しているかを示す滞在スケジュール情報を更に記録し、
前記エリア特定部は、前記滞在スケジュール情報に基づいて、前記ユーザが滞在するエリアを特定する、
請求項１から請求項４のいずれか一項に記載の設備制御装置。
【請求項６】
１又は複数のエリアのそれぞれに配置される１又は複数の設備を制御するコンピュータが実行する設備制御方法であって、
前記１又は複数のエリアのエリア識別情報と、前記１又は複数の設備の設備識別情報と、前記１又は複数のエリアのそれぞれにおける前記１又は複数の設備の配置位置を示す配置位置情報と、前記１又は複数の設備の種類を示す種類情報と、を関連づけて記録するステップと、
ユーザの位置を示すユーザ位置情報を取得するステップと、
取得した前記ユーザ位置情報と、前記エリア識別情報とに基づいて、前記ユーザが滞在するエリアを特定するステップと、
前記設備識別情報と前記配置位置情報と前記種類情報とに基づいて、特定された前記エリアにおける特定の位置にそれぞれ配置される前記１又は複数の設備の種類を特定可能なように、且つ、前記ユーザが制御対象として当該設備を選択可能に、画面に表示するための画像情報を生成するステップと、
前記ユーザにより選択された１又は複数の設備を制御するステップと、を含む、
設備制御方法。
【請求項７】
１又は複数のエリアのそれぞれに配置される１又は複数の設備を制御するコンピュータにおいて実行されるプログラムであって、
コンピュータを、
前記１又は複数のエリアのエリア識別情報と、前記１又は複数の設備の設備識別情報と、前記１又は複数のエリアのそれぞれにおける前記１又は複数の設備の配置位置を示す配置位置情報と、前記１又は複数の設備の種類を示す種類情報と、を関連づけて記録する記録部と、
ユーザの位置を示すユーザ位置情報を取得する情報取得部と、
取得した前記ユーザ位置情報と、前記エリア識別情報とに基づいて、前記ユーザが滞在するエリアを特定するエリア特定部と、
前記設備識別情報と前記配置位置情報と前記種類情報とに基づいて、特定された前記エリアにおける特定の位置にそれぞれ配置される前記１又は複数の設備の種類を特定可能なように、且つ、前記ユーザが制御対象として当該設備を選択可能に、画面に表示するための画像情報を生成する画像情報生成部と、
前記ユーザにより選択された１又は複数の設備を制御する設備制御部と、
して機能させる、プログラム。
【発明の詳細な説明】
【技術分野】
【０００１】
本発明は、１又は複数のエリアのそれぞれに配置される１又は複数の設備を制御する設備制御装置、設備制御方法及びプログラムに関する。
【背景技術】
【０００２】
近年、施設内に配置された照明機器を自動制御することによる省電力化を図りながら、人間のいる場所の照明機器に対する多様な手動制御を簡易な操作で行うことができる照明制御技術が知られている。
【０００３】
これに関し、特許文献１には、制御対象領域である室内の従業者の位置情報をこの従業者が所持するスマートフォンの端末ＩＤとともに取得する取得部と、従業者の位置情報に基づいて、室内の従業者が滞在する滞在エリアに対応するＬＥＤ照明機器を特定し、特定したＬＥＤ照明機器と端末ＩＤとを関連付けるとともに、特定したＬＥＤ照明機器を制御する照明制御装置が記載されている。
【先行技術文献】
【特許文献】
【０００４】
【特許文献１】特開２０１４−７８３９８号公報
【発明の概要】
【発明が解決しようとする課題】
【０００５】
ここで、特許文献１記載の照明制御装置においては、上述した方法により、自動的に、従業者が滞在するエリアに対応するＬＥＤ照明機器を特定し、特定したＬＥＤ照明機器を制御することができる。しかしながら、上記照明制御装置においては、従業者が滞在するエリアに配置された制御対象機器が複数種類にわたる場合、レイアウト画面には、単に、制御対象機器の種類が異なることがわかるような画像が表示されるのみである。このような従来の照明制御装置を使用する限り、ユーザは、所定エリアに配置された１又は複数の設備の種類を直感的に且つ具体的に特定することができなかった。
【０００６】
そこで、本発明は、このような事情に鑑みてなされたものであり、１又は複数のエリアのそれぞれに配置される１又は複数の設備を制御する際に、制御すべき設備の種類を直感的に且つ具体的に特定することを可能にする設備制御技術を提供することを目的とする。
【課題を解決するための手段】
【０００７】
本発明の一態様に係る設備制御装置は、１又は複数のエリアのそれぞれに配置される１又は複数の設備を制御する設備制御装置であって、１又は複数のエリアのエリア識別情報と、１又は複数の設備の設備識別情報と、１又は複数のエリアのそれぞれにおける１又は複数の設備の配置位置を示す配置位置情報と、１又は複数の設備の種類を示す種類情報と、を関連づけて記録する記録部と、ユーザの位置を示すユーザ位置情報を取得する情報取得部と、取得したユーザ位置情報と、エリア識別情報とに基づいて、ユーザが滞在するエリアを特定するエリア特定部と、設備識別情報と配置位置情報と種類情報とに基づいて、特定されたエリアにおける特定の位置にそれぞれ配置される１又は複数の設備の種類を特定可能なように、且つ、ユーザが制御対象として当該設備を選択可能に、画面に表示するための画像情報を生成する画像情報生成部と、ユーザにより選択された１又は複数の設備を制御する設備制御部と、を備える。
【０００８】
本発明の一態様に係る設備制御方法は、１又は複数のエリアのそれぞれに配置される１又は複数の設備を制御するコンピュータが実行する設備制御方法であって、１又は複数のエリアのエリア識別情報と、１又は複数の設備の設備識別情報と、１又は複数のエリアのそれぞれにおける１又は複数の設備の配置位置を示す配置位置情報と、１又は複数の設備の種類を示す種類情報と、を関連づけて記録するステップと、ユーザの位置を示すユーザ位置情報を取得するステップと、取得したユーザ位置情報と、エリア識別情報とに基づいて、ユーザが滞在するエリアを特定するステップと、設備識別情報と配置位置情報と種類情報とに基づいて、特定されたエリアにおける特定の位置にそれぞれ配置される１又は複数の設備の種類を特定可能なように、且つ、ユーザが制御対象として当該設備を選択可能に、画面に表示するための画像情報を生成するステップと、ユーザにより選択された１又は複数の設備を制御するステップと、を含む。
【０００９】
本発明の一態様に係るプログラムは、１又は複数のエリアのそれぞれに配置される１又は複数の設備を制御するコンピュータにおいて実行されるプログラムであって、コンピュータを、１又は複数のエリアのエリア識別情報と、１又は複数の設備の設備識別情報と、１又は複数のエリアのそれぞれにおける１又は複数の設備の配置位置を示す配置位置情報と、１又は複数の設備の種類を示す種類情報と、を関連づけて記録する記録部と、ユーザの位置を示すユーザ位置情報を取得する情報取得部と、取得したユーザ位置情報と、エリア識別情報とに基づいて、ユーザが滞在するエリアを特定するエリア特定部と、設備識別情報と配置位置情報と種類情報とに基づいて、特定されたエリアにおける特定の位置にそれぞれ配置される１又は複数の設備の種類を特定可能なように、且つ、ユーザが制御対象として当該設備を選択可能に、画面に表示するための画像情報を生成する画像情報生成部と、ユーザにより選択された１又は複数の設備を制御する設備制御部と、して機能させる。
【００１０】
なお、本発明において、「部」、「装置」とは、単に物理的手段を意味するものではなく、その「部」、「装置」」が有する機能をソフトウェアによって実現する場合も含む。また、１つの「部」、「装置」が有する機能が２つ以上の物理的手段や装置により実現されても、２つ以上の「部」、「装置」の機能が１つの物理的手段や装置により実現されてもよい。
【発明の効果】
【００１１】
本発明の上記態様によれば、１又は複数のエリアのそれぞれに配置される１又は複数の設備を制御する際に、制御すべき設備を直感的に且つ具体的に特定することが可能となる。
【図面の簡単な説明】
【００１２】
【図１】本発明の実施形態に係る設備制御システムの概略構成図である。
【図２】本発明の実施形態に係る設備制御サーバ及びユーザ端末の概略構成図である。
【図３】本発明の実施形態に係る設備制御サーバの機能的構成の一例を示す概略構成図である。
【図４】本発明の実施形態に係る記録部が記録する情報テーブルの一例を示す概念図である。
【図５】本発明の実施形態に係る設備制御処理の一例を示すフローチャートである。
【図６】本発明の実施形態に係るユーザ端末の出力部における画面の一例を示す図である。
【図７】本発明の実施形態に係るユーザ端末の出力部における画面の一例を示す図である。
【図８】本発明の実施形態に係るユーザ端末の出力部における画面の一例を示す図である。
【発明を実施するための形態】
【００１３】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００１４】
図１は、本実施形態に係る設備制御システム１００の全体構成を示すブロック図である。図１に示すように、設備制御システム１００は、例示的に、１又は複数のエリアのそれぞれに配置される１又は複数の設備を制御する設備制御サーバ１（設備制御装置）と、ｎ台（ｎは、１以上の任意の整数値）のユーザ端末３と、ネットワークＮとを含んで構成される。
【００１５】
「設備」とは、人が内部に入って利用する建築物（例えば、施設）に配置されている機器をいう。「設備」は、例えば、テレビやディスプレイモニター等の表示装置、テーブル、照明装置、空調制御装置、又は、音声出力装置等を含む。また、「設備」は、自動車等の乗物に取り付けられている機器であってもよい。「設備」は、例えば、接着ないしねじ止めなどで簡単には取り外せないように固定されてもよいし、少なくとも部分的に交換したり修理したりできるように構成されてもよい。
【００１６】
設備制御システム１００は、いわゆるクライアント・サーバシステムである。設備制御システム１００は、クライアントであるｎ台のプレイヤ端末３と、設備制御サーバ１とがネットワークＮを介して相互に通信を行うことにより実現される。なお、ネットワークＮは、例えば、インターネット、携帯電話網といったネットワーク、ＬＡＮ（Ｌｏｃａｌ  Ａｒｅａ  Ｎｅｔｗｏｒｋ）、あるいはこれらを組み合わせたネットワークにより実現される。
【００１７】
設備制御サーバ１は、例えば、１つ又は複数のサーバ装置により実現される。また、ユーザ端末３は、例えば、スマートフォンや、ゲーム機や、パーソナルコンピュータにより実現される。なお、図中には、ｎ台のユーザ端末３として、ユーザ端末３ａ及びユーザ端末３ｎを図示している。ただし、以下の説明において、これらｎ台のユーザ端末３を区別することなく説明する場合には、符号を一部省略して、単に「ユーザ端末３」と呼ぶ。
【００１８】
図２は、本発明の実施形態に係る設備制御サーバ１のハードウェアの構成と、ユーザ端末３のハードウェアの構成とを示すブロック図である。なお、図中では、設備制御サーバ１のハードウェアに対応する符号には括弧を付すことなく記載し、ユーザ端末３のハードウェアに対応する符号には括弧を付して記載する。
【００１９】
設備制御サーバ１は、例示的に、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等からなるメモリ１２と、入力部１３と、出力部１４と、記録部１５と、通信部１６と、バス１７と、を備えている。
【００２０】
ＣＰＵ１１は、メモリ１２に記録されているプログラム、又は、記録部１５からメモリ１２にロードされたプログラムにしたがって各種の処理を実行する。
【００２１】
メモリ１２には、ＣＰＵ１１が各種の処理を実行する上において必要なデータ等も適宜記憶される。ＣＰＵ１１及びメモリ１２は、バス１７を介して相互に接続されている。また、このバス１７には、入力部１３と、出力部１４と、記録部１５と、通信部１６と、が接続されている。
【００２２】
入力部１３は、設備制御サーバ１の管理者等の指示操作に応じて各種情報を入力する。入力部１３は、例えば、各種ボタン、タッチパネルあるいはマイク等で構成される。なお、入力部１３は、設備制御サーバ１の他の各部を収容する本体とは独立した、キーボードやマウス等の入力装置により実現してもよい。
【００２３】
出力部１４は、画像データや音声データを出力する。出力部１４は、例えば、ディスプレイやスピーカ等で構成される。出力部１４が出力した画像データや音声データは、ディスプレイやスピーカ等から、画像や音楽としてプレイヤが認識可能に出力される。
【００２４】
記録部１５は、各種データを記憶する。記録部１５は、例えば、ＤＲＡＭ（Ｄｙｎａｍｉｃ  Ｒａｎｄｏｍ  Ａｃｃｅｓｓ  Ｍｅｍｏｒｙ）等の半導体メモリで構成される。
【００２５】
通信部１６は、他の装置との間で行う通信を実現する。例えば、通信部１６は、ネットワークＮを介して、ユーザ端末３との間で相互に通信を行う。
【００２６】
なお、設備制御サーバ１には、不図示であるがドライブを必要に応じて適宜設けられる。ドライブには、例えば、磁気ディスク、光ディスク、光磁気ディスク等から構成されるリムーバブルメディアが適宜装着されてもよい。ドライブによってリムーバブルメディアから読み出されたプログラムや、画像データ等の各種のデータは、必要に応じて記録部１５にインストールされる。
【００２７】
ユーザ端末３のハードウェアの構成について説明をする。ユーザ端末３は、図２に示すように、例示的に、ＣＰＵ３１と、メモリ３２と、入力部３３と、出力部３４と、記録部３５と、通信部３６と、バス３７と、を備えている。これら各部は、上述の設備制御サーバ１が備える、符号のみが異なる同名の各部と同等の機能を有している。
【００２８】
図３は、本発明の実施形態に係る設備制御サーバ１の機能的構成の一例を示すブロック図である。設備制御サーバ１は、例示的に、設備を制御するための処理を実行する情報処理部１１１と、設備を制御するために必要な情報を記録する記録部１５と、を備えて構成される。
【００２９】
図４は、図３に示す記録部１５に記録される情報テーブルの一例を示す図である。図４に示すように、記録部１５は、１又は複数の施設（エリア）のエリア識別情報ＥＩと、１又は複数の設備の設備識別情報ＦＩと、１又は複数のエリアのそれぞれにおける１又は複数の設備の配置位置を示す配置位置情報ＡＩと、１又は複数の設備の種類を示す種類情報ＴＩと、を互いに関連付けて記録する。記録部１５は、例えば、エリアＡの識別情報（００１）と、ＴＶの設備識別情報（ＡＡＡ）と、ＴＶの配置位置情報（３５.-----,１３８.------）と、ＴＶの種類情報（ＴＶ−０１）と、を関連付けて記録する。
【００３０】
図４の例では、エリアＡに配置されたＴＶの種類情報（ＴＶ）とエリアＢに配置されたディスプレイの種類情報（ＤＰ）と設定することで、ＴＶとディスプレイは異なる種類の設備であることを明確にすることができる。他方で、ＴＶとディスプレイとは情報を表示する設備であるという点では一致しているので、同一の種類情報を設定してもよい。なお、ＴＶに対応する種類情報は、「ＴＶ」に限られず、「ＴＶ−０１」…「ＴＶ−Ｎ」（Ｎは、例えば整数）というように同種の設備群に関して、さらに複数の種類を設定して多段階に区別してもよい。
【００３１】
設備の配置位置は、図４の例では、緯度経度のみを記載しているが、これに限られない。設備の配置位置は、建物の名称等を含む建物の識別情報、建物の階数に関する情報を含んでもよい。また、設備の配置位置は、建物が複数の棟で構成されている場合は、当該棟の識別情報をさらに含んでも良い。なお、設備の配置位置は、上記したとおり緯度経度のような絶対値を含んでもよいし、特定のエリアに設備が複数配置される場合は、各設備に対して当該エリアにおける相対的な位置を示す情報を含んでもよい。
【００３２】
図３に戻り、情報処理部１１１は、機能的に、ユーザの位置を示すユーザ位置情報を取得する情報取得部１１３と、取得したユーザ位置情報と、エリア識別情報ＥＩとに基づいて、ユーザが滞在するエリアを特定するエリア特定部１１５と、設備識別情報ＦＩと配置位置情報ＡＩと種類情報ＴＩとに基づいて、特定されたエリアにおける特定の位置にそれぞれ配置される１又は複数の設備の種類を特定可能なように、且つ、ユーザが制御対象として当該設備を選択可能に、画面に表示するための画像情報を生成する画像情報生成部１１７と、ユーザにより選択された１又は複数の設備を制御する設備制御部１１９と、を備える。上記各機能の詳細については、後述する。
【００３３】
なお、情報処理部１１１は、例えば、図２に示すメモリ１２や記録部１５に格納されているプログラムをＣＰＵ１１が実行したりすることにより実現することができる。
【００３４】
＜設備制御処理＞
図５から図９を用いて本発明の実施形態に係る設備制御処理の一例を説明する。図５は、本発明の実施形態に係る設備制御処理の一例を示すフローチャートである。
【００３５】
（ステップＳ１）
図３に示す記録部１５は、図４に示すように、１又は複数の施設（エリア）のエリア識別情報ＥＩと、１又は複数の設備の設備識別情報ＦＩと、１又は複数のエリアのそれぞれにおける１又は複数の設備の配置位置を示す配置位置情報ＡＩと、１又は複数の設備の種類を示す種類情報ＴＩと、を互いに関連付けて記録する。ステップＳ１は、必ずしも、ステップＳ３の前に実行される必要はなく、少なくとも、ユーザが滞在するエリアを特定するステップであるステップＳ１１の前までに行われていればよい。
【００３６】
（ステップＳ３，Ｓ５）
次に、ユーザ（例えば、所定エリアに配置された複数の設備のうち特定の設備を制御したいと希望する者）が、自身が用いるユーザ端末３を操作して設備制御アプリケーションを起動すると、ユーザ端末３には、メニュー画面が表示される。なお、ユーザ端末３を操作して設備制御アプリケーションが起動されると、ユーザ端末３から設備制御サーバ１にユーザ情報が送信される。設備制御サーバ１は、ユーザ情報に応じた設備制御アプリケーションに関するメニュー画面を表示するための情報をユーザ端末３に送信するように構成されてもよい。
【００３７】
ユーザ情報には、例えば、ユーザの氏名、生年月日、住所等の情報が含まれる。これらの情報は予めユーザＩＤなどと紐づけて登録し、設備制御アプリケーションにログインした際に設備制御サーバ１に送信されるようにしてもよい。
【００３８】
図６は、図２に示すユーザ端末３の出力部３４における表示画面の一例を示す図である。図６（Ａ）は、設備制御アプリケーションにおける各種制御メニューを示すメニュー画面の一例を示す図である。図６（Ｂ）は、施設(エリア)検索方法を示す検索方法選択画面の一例を示す図である。図６（Ａ）に示すように、ユーザ端末３の出力部３４において制御メニュー画面が表示される。そして、図６（Ａ）に示す制御メニュー画面においてメニュー（「設備コントロール」）Ｍ１がユーザにより選択された場合に、図６（Ｂ）に示すエリア検索方法選択画面が出力部３４において表示される。なお、図６（Ａ）に示す制御メニュー画面において選択頻度が多いメニューがより上位に表示されるように制御されてもよい。また、図６（Ｂ）に示すエリア検索方法選択画面において選択頻度が高い方法がより上位に表示されるように制御されてもよい。
【００３９】
例えば、図６（Ｂ）に示すように、ユーザ端末３において、ユーザ位置情報を取得するための１又は複数の異なる取得手法を選択可能な画面が表示される。当該画面を表示するための画像情報の生成は、ユーザ端末３が実行してもよいし、設備制御サーバ１が生成し、生成した画像情報をユーザ端末３に提供してもよい。取得手法には、例えば、ＧＰＳ（Ｇｌｏｂａｌ  Ｐｏｓｉｔｉｏｎｉｎｇ  Ｓｙｓｔｅｍ）を用いた取得手法、Ｂｅａｃｏｎ（ビーコン）を用いた取得手法、ＱＲコード（登録商標）等を含む所定のコードを用いた取得手法、及び、ユーザがエリア情報を直接入力することによりエリアを特定する手法等が含まれる。
【００４０】
この構成によれば、ユーザ端末３において、ユーザ位置情報の複数の取得手法を選択可能な画面が表示されるので、ユーザにとって最適な手法を自由に選択させることが可能となる。
【００４１】
そして、図３に示す設備制御サーバ１の情報取得部１１３は、図６（Ｂ）に示す選択画面上においてユーザにより選択された一の取得手法を用いてユーザ位置情報を取得する。例えば、図６（Ｂ）に示す選択画面上においてユーザにより「ＧＰＳ」メニューＭ３が選択されると、ユーザ端末３に搭載されているＧＰＳ機能を用いてユーザ端末３（ユーザ）の位置情報を取得する。
【００４２】
（ステップＳ７，Ｓ９）
ユーザ端末３は、取得したユーザ位置情報を設備制御サーバ１に送信する。設備制御サーバ１は、ユーザ端末３から送信されたユーザ位置情報を取得する。
【００４３】
（ステップＳ１１）
図３に示すエリア特定部１１５は、取得したユーザ位置情報と、エリア識別情報とに基づいて、ユーザが滞在するエリアを特定する。例えば、図３に示す設備制御サーバ１の記録部１５において、エリア識別情報とエリアの位置情報とが予め関連付けられたエリア情報テーブルが記録されている。エリア特定部１１５は、取得したユーザ位置情報に基づいて、当該エリア情報テーブルを参照することにより、ユーザが滞在するエリアを特定する。エリアの特定手法は上記手法に限られず、以下の手法も採り得る。
【００４４】
例えば、図６（Ｂ）に示すエリア検索方法選択画面において、ユーザにより「Ｂｅａｃｏｎ」メニューＭ５が選択されると、ユーザ端末３に搭載されているＢｅａｃｏｎ受信機能を用いて、ユーザが滞在するエリアを特定する。具体的には、各エリアに配置されたビーコン送信装置から送信される、ビーコン送信装置を識別するためのビーコン送信装置識別情報を含むビーコンをユーザ端末３が受信する。ユーザ端末３は、ビーコンを受信すると、受信したビーコンに含まれるビーコン送信装置識別情報を抽出し、設備制御サーバ１に送信する。図３に示す設備制御サーバ１の記録部１５は、ビーコン送信装置識別情報と、エリア識別情報と、エリアの位置情報と、が予め関連付けられたビーコン情報テーブルを記録している。エリア特定部１１５は、取得したビーコン送信装置識別情報に基づいて、当該ビーコン情報テーブルを参照することにより、ユーザが滞在するエリアを特定する。
【００４５】
また、図６（Ｂ）に示すエリア検索方法選択画面において、ユーザにより「ＱＲｃｏｄｅ」メニューＭ７が選択されると、ユーザ端末３に搭載されている撮像機能等を用いて、ユーザが滞在するエリアを特定してもよい。具体的には、各エリアに配置されたＱＲコードをユーザ端末３により読み取る。エリア特定部１１５は、ＱＲコードに含まれているエリア識別情報に基づいて、読み取ったＱＲコードが配置されたエリア、つまり、ユーザが滞在するエリアを特定してもよい。
【００４６】
またさらに、図６（Ｂ）に示すエリア検索方法選択画面において、ユーザにより「施設名入力」メニューＭ９が選択されると、ユーザが施設名（エリア名）を直接入力可能な画面（不図示）に遷移する。エリア特定部１１５は、当該画面において、ユーザが特定のエリアを入力することにより、ユーザが滞在するエリアを特定してもよい。
【００４７】
（ステップＳ１３，Ｓ１５）
図３に示す画像情報生成部１１７は、設備識別情報と配置位置情報と種類情報とに基づいて、特定されたエリアにおける特定の位置にそれぞれ配置される１又は複数の設備の種類を特定可能なように、且つ、ユーザが制御対象として当該設備を選択可能に、画面に表示するための画像情報を生成する。画像情報生成部１１７は、生成した画像情報をユーザ端末３に送信する。そして、ユーザ端末３は、受信した画像情報に基づいて、制御すべき設備を選択するための設備選択画面を表示する。
【００４８】
図７は、図２に示すユーザ端末３の出力部３４における表示画面の一例を示す図である。図７（Ａ）は、設備制御アプリケーションにおける設備選択画面の一例を示す図である。図７（Ａ）に示すように、画像情報生成部１１７は、「Ｄｉｓｐｌａｙ」及び「Ｌｉｇｈｔ」の種類を特定可能なように（、且つ、ユーザが制御対象として「Ｄｉｓｐｌａｙ」又は「Ｌｉｇｈｔ」の少なくとも一方を選択可能に、画面に表示するための画像情報を生成する。ここで、例えば、設備「Ｄｉｓｐｌａｙ」を示すアイコン画像Ｉ１は、「Ｄｉｓｐｌａｙ」というテキストと、「Ｄｉｓｐｌａｙ」に対応する画像と、を含んでいるが、これに限られない。例えば、設備「Ｄｉｓｐｌａｙ」を示すアイコン画像Ｉ１は、「Ｄｉｓｐｌａｙ」の種類を特定することが可能であればよく、「Ｄｉｓｐｌａｙ」というテキスト、又は、「Ｄｉｓｐｌａｙ」に対応する画像の一方を含むものであってもよい。なお、設備「Ｌｉｇｈｔ」を示すアイコン画像Ｉ３も同様である。
【００４９】
このように、従来では、例えば従業者が滞在するエリアに配置された制御対象設備が複数種類にわたる場合、レイアウト画面には、単に、制御対象設備の「種類が異なること」がわかるような画像が表示されるのみである。このような従来の表示技術を使用する限り、ユーザは、所定エリアに配置された１又は複数の設備の種類を直感的に且つ具体的に特定することができなかった。
【００５０】
しかしながら、本実施形態においては、上記のような画像情報生成技術を採用することにより、１又は複数のエリアのそれぞれに配置される１又は複数の設備を制御する際に、制御すべき設備の種類を直感的に且つ具体的に特定することを可能にした。
【００５１】
また、図７（Ａ）に示すように、設備制御サーバ１の画像情報生成部１１７は特定されたエリアにおける特定の位置にそれぞれ配置される１又は複数の設備（「Ｄｉｓｐｌａｙ」及び「Ｌｉｇｈｔ」）の配置状況を示すための画像情報であって、当該１又は複数の設備のうち制御可能な設備（「Ｄｉｓｐｌａｙ」）の表示形態を他の設備（「Ｌｉｇｈｔ」）の表示形態とは異なるように表示するための画像情報を生成する。具体的には、図７（Ａ）の例では、画像情報生成部１１７は、制御可能な設備（「Ｄｉｓｐｌａｙ」）を示すアイコン画像Ｉ１には色を付加し、現時点では制御できない設備（「Ｌｉｇｈｔ」）を示すアイコン画像Ｉ３には、色を付加しないように構成されてもよい。なお、各アイコン画像が表示形態は上記に限られず、制御可能か否かに応じて、アイコン画像のサイズを変更する等の様々な強調表示形態を採り得る。
【００５２】
この構成によれば、所定エリアに配置された１又は複数の設備のうち制御可能な設備を直感的に特定することができる。
【００５３】
（ステップＳ１７，Ｓ１９，Ｓ２１）
図７（Ａ）に示すように、ユーザ端末３の出力部３４においては、特定されたエリアにおける特定の位置にそれぞれ配置される１又は複数の設備は、種類を特定可能な画像で表示される。ここで、例えば、ユーザにより「Ｄｉｓｐｌａｙ」及び「Ｌｉｇｈｔ」のうち、「Ｄｉｓｐｌａｙ」が選択されると、ユーザ端末３から選択情報が設備制御サーバ１に送信される。そして、設備制御サーバ１の画像情報生成部１１７は、ユーザにより選択された「Ｄｉｓｐｌａｙ」の機能に関する制御画面を表示するための画像情報を生成し、ユーザ端末３に当該画像情報を送信する。ユーザ端末３の出力部３４においては、図７（Ｂ）に示すように、図７（Ａ）における設備選択画面において、制御対象として選択された「Ｄｉｓｐｌａｙ」の制御画面が出力される。
【００５４】
ここで、ユーザにより、同時に複数の設備が選択される場合は、選択されたそれぞれの設備を制御するための制御画面を出力部３４において、出力されてもよい。つまり、複数の設備を制御するための制御画面を同じタイミングで出力することにより、複数の設備を同時に制御することも可能なように構成されてもよい。また、選択されたそれぞれの設備の制御画面は、出力部３４において、互いに重畳することなく互いに区別されて出力されてもよいし、各制御画面の少なくとも一部が重畳するように出力されてもよい。
【００５５】
（ステップＳ２３，Ｓ２５）
ユーザが図７（Ｂ）に示す制御画面において各種機能を制御するための入力を実行すると、ユーザ端末３は、設備に関する制御信号を設備制御サーバ１に送信する。図３に示す設備制御サーバ１の設備制御部１１９は、制御信号に基づいて、ユーザにより選択された１又は複数の設備を制御する。例えば、設備制御部１１９は、設備制御サーバ１と通信可能に接続されている各種設備に対して制御信号を送信することにより、設備の各種機能を制御することが可能である。
【００５６】
図７（Ｂ）の例においては、ユーザが「Ｄｉｓｐｌａｙ」の電源制御ボタンＢ１の「ＯＮ／ＯＦＦ」を切り替えることで、「Ｄｉｓｐｌａｙ」の電源のＯＮ／ＯＦＦを制御できる。また、ユーザは、「Ｄｉｓｐｌａｙ」の入力手段を切り替えることも可能である。例えば、ユーザがメニューＭ１１を選択すると「ＶＧＡ」が入力手段として決定される。なお、「Ｄｉｓｐｌａｙ」の制御可能な機能は上記に限られず、音声出力に関する機能等の他の機能を制御可能に構成されてもよい。
【００５７】
図８は、図２に示すユーザ端末３の出力部３４における表示画面の一例を示す図である。図８に示すように、出力部３４においては、制御対象として選択された「Ｌｉｇｈｔ」の制御画面が出力されてもよい。なお、図７では、「Ｌｉｇｈｔ」は制御不可能（選択不可能）である旨説明したが、あくまで一例であり、図８においては、「Ｌｉｇｈｔ」が制御可能（選択可能）である一形態を説明する。図８（Ａ）及び（Ｂ）に示すように、「Ｌｉｇｈｔ」についても、電源制御ボタンＢ３，Ｂ５の「ＯＮ／ＯＦＦ」を切り替えることで、「Ｌｉｇｈｔ」の電源のＯＮ／ＯＦＦを制御できる。また、ユーザは、バーＢＲを調整することにより、「Ｌｉｇｈｔ」の明るさ、色相、及び彩度の少なくとも一つを調整することも可能である。
【００５８】
以上説明した実施形態によれば、取得したユーザ位置情報と、エリア識別情報とに基づいて、ユーザが滞在するエリアを特定し、設備識別情報と配置位置情報と種類情報とに基づいて、特定されたエリアにおける特定の位置にそれぞれ配置される１又は複数の設備の種類を特定可能なように、且つ、ユーザが制御対象として当該設備を選択可能に、画面に表示するための画像情報を生成し、ユーザにより選択された１又は複数の設備を制御する。よって、１又は複数のエリアのそれぞれに配置される１又は複数の設備を制御する際に、制御すべき設備を直感的に且つ具体的に特定することが可能になる。
【００５９】
（他の実施形態）
上記各実施形態は、本発明の理解を容易にするためのものであり、本発明を限定して解釈するものではない。本発明はその趣旨を逸脱することなく、変更／改良（例えば、各実施形態を組み合わせること、各実施形態の一部の構成を省略すること）され得るとともに、本発明にはその等価物も含まれる。
【００６０】
例えば、図３に示す記録部１５は、ユーザが１又は複数の時間帯のそれぞれにおいてどのエリアに滞在しているかを示す滞在スケジュール情報を更に記録し、エリア特定部１１５は、滞在スケジュール情報に基づいて、ユーザが滞在するエリアを特定してもよい。例えば、記録部１５に記録されている滞在スケジュール情報に、ユーザＡは、９時から１１時までエリアＡで会議をしている、１３時から１５時までエリアＢで執務をしている等の情報が含まれている場合、エリア特定部１１５は、当該情報を参照することで、現在、ユーザが滞在しているエリアを特定する。
【００６１】
この構成によれば、ユーザの位置情報をＧＰＳ機能等で直接取得することなく、ユーザが滞在するエリアを容易に特定することができる。
【００６２】
図７（Ａ）の例では、「Ｄｉｓｐｌａｙ」及び「Ｌｉｇｈｔ」の２つの設備が表示されているが、これに限られず、１つの設備が表示されてもよいし、３つ以上の設備が表示されてもよい。例えば、エリアに配置される設備として、「Ｄｉｓｐｌａｙ」及び「Ｌｉｇｈｔ」に加えて、又は、「Ｄｉｓｐｌａｙ」及び「Ｌｉｇｈｔ」に代えて「テーブル」が採用されてもよい。この場合、設備制御サーバ１は、例えば「テーブル」の天板の高さを制御可能に構成されてもよい。また、本実施形態の設備は、ＴＶ会議システム又はＷｅｂ会議システムを含んでもよい。この場合に、設備制御サーバ１は、エリア特定部１１５において特定されたエリアに関連づけられたＴＶ会議システム又はＷｅｂ会議システムの操作、例えば、ＴＶ会議システム又はＷｅｂ会議システムに係るアプリケーションの起動や終了等を制御可能に構成されてもよい。さらに、本実施形態における設備制御システム１００は、会議室予約システムをさらに含み、又は、会議室予約システムと連動して動作してもよい。例えば、設備制御システム１００又は会議室予約システムは、エリア特定部１１５が特定した会議室（エリア）の使用状況を「使用中」又は「空」に変更可能なように構成されてもよい。
【００６３】
上述の実施形態で設備制御サーバ１が実行している処理の少なくとも一部を、代わりにユーザ端末３に実装されている設備制御アプリケーションが実行するようにしてもよい。例えば、設備制御サーバ１が備える、図３に示す情報取得部１１３と、エリア特定部１１５と、画像情報生成部１１７と、設備制御部１１９は、ユーザ端末３が実行してもよい。
【符号の説明】
【００６４】
１…設備制御サーバ、３…ユーザ端末、１１（３１）…ＣＰＵ、１２（３２）…メモリ、１３（３３）…入力部、１４（３４）…出力部、１５（３５）…記録部、１６（３６）…通信部、１７（３７）…バス、１１１…情報処理部、１１３…情報取得部、１１５…エリア特定部、１１７…画像情報生成部、１１９…設備制御部
【図１】
2020086968.tif 000003
【図２】
2020086968.tif 000004
【図３】
2020086968.tif 000005
【図４】
2020086968.tif 000006
【図５】
2020086968.tif 000007
【図６】
2020086968.tif 000008
【図７】
2020086968.tif 000009
【図８】
2020086968.tif 000010